(57)【要約】【課題】  携行性に優れるとともに、軽量かつ低価格なパーテーションを提供する。【解決手段】  遮蔽部としての役割を果たし、丸めて保管することが可能なフィルム１と、重力方向に立ち上がり、フィルム１を支持する板状の支持部材２と、を有し、フィルム１の下部に複数の第１の開放スロット部１ａが形成され、支持部材２に、上方に開放し、第１の開放スロット部１ａとそれぞれ嵌合する複数の第２の開放スロット部２ａが形成され、複数の第１の開放スロット部１ａの間のフィルム１の部分が、支持部材２の一方の側と他方の側に交互に配置されることで、フィルム１が波状に撓んで自立するものとする。【選択図】図１
0003230114.tif 000002
【実用新案登録請求の範囲】
【請求項１】
遮蔽部としての役割を果たし、丸めて保管することが可能なフィルムと、
重力方向に立ち上がり、前記フィルムを支持する板状の支持部材と、を有し、
前記フィルムの下部に複数の第１の開放スロット部が形成され、
前記支持部材に、上方に開放し、前記第１の開放スロット部とそれぞれ嵌合する複数の第２の開放スロット部が形成され、
前記複数の第１の開放スロット部の間の前記フィルムの部分が、前記支持部材の一方の側と他方の側に交互に配置されることで、前記フィルムが波状に撓んで自立することを特徴とするパーテーション。
【請求項２】
前記フィルムが透明の樹脂から形成されることを特徴とする請求項１に記載のパーテーション。
【請求項３】
さらに、板状をして、上方に開放する第３の開放スロット部をそれぞれ有する一対の脚部材を有し、
前記支持部材は、両端部に、下方に開放し、前記第３の開放スロット部に嵌合する第４の開放スロット部をそれぞれ有することを特徴とする請求項１又は２に記載のパーテーション。
【請求項４】
前記複数の第１の開放スロット部を配置する間隔が、前記複数の第２の開放スロット部を配置する間隔よりも広いことを特徴とする請求項１から３のいずれか一項に記載のパーテーション。
【考案の詳細な説明】
【技術分野】
【０００１】
本考案は、ウイルスの感染防止等の目的で使用されるパーテーションに関するものである。
【背景技術】
【０００２】
飲食店、店舗の受付、会議室等では、複数人がテーブル等を挟んで、会話をしたり、咳やくしゃみをしたりすると、口腔から微細な飛沫が放出され、これを対面する人が吸い込んだり、対面する人の顔や手に付着するおそれがある。そこで、飛沫中のウイルスや細菌による感染症を防止することを目的として、デスク上に載置される自立式のパーテーション（仕切）が種々提案されている（特許文献１、２参照）。
【０００３】
特許文献１のデスクパーテーションは、アルミニウム合金製のベースの上面にレールを設け、このレールに硬質樹脂製のパネルをスライド可能に保持させたものである。また、特許文献２のパーテーションは、略矩形のパネルの左右側端辺に複数の突起を設け、これら突起が挿入される挿入孔を有する一対の側面板によって硬質樹脂製のパネルを支持させるものである。
【先行技術文献】
【特許文献】
【０００４】
【特許文献１】特開２０１３−２２０１２９号公報
【特許文献２】実用新案登録第３２２７６７５号公報
【考案の概要】
【考案が解決しようとする課題】
【０００５】
従来のパーテーションでは、本体であるパネルの素材がアクリル樹脂に代表される硬質樹脂であるため、切断工程や仕上工程が比較的大掛かりとなり、素材コストが高いことも相俟って、製品価格が高くなることが避けられなかった。また、パーテーションとして十分な遮蔽面積を確保するとパネルの体格（縦横寸法）が大きくなり、携行やオフィス内での持ち運びが難しくなるとともに、使用しない場合の保管に大きなスペースも必要となる。更に、硬質樹脂製のパネルはその重量が比較的大きいため、デスクから落下した際に破損するほか、長期の使用によって表面に擦り傷等が付いて見栄えや透明度が低下することが多かった。
【０００６】
本考案は、上記課題に鑑みなされたものであり、携行性に優れるとともに、軽量かつ低価格なパーテーションを提供することを目的とする。
【図面の簡単な説明】
【０００７】
【図１】図１は本願の実施形態に係るパーテーションの分解図である。図１（ａ）はフィルム、図１（ｂ）は支持部材、図１（ｃ）は第１の脚部材、図１（ｄ）は第２の脚部材を示す。
【図２】図２は本願の実施形態に係るパーテーションの斜視図である。
【考案を実施するための形態】
【０００８】
図１及び図２を参照して本願の実施形態に係るパーテーション１０について説明する。なお、本願において、上下を言う場合は、パーテーション１０を机等に置いて使用する状態における上下を言うものとする。
【０００９】
パーテーション１０は、フィルム１と支持部材２とを有する。フィルム１は、図１（ａ）に示すように四角状の平面形状を有する。フィルム１は、パーテーション１０において遮蔽部としての役割を果たす。フィルム１は、丸めて保管することが可能な可撓性を有する素材とする。
【００１０】
支持部材２は、図１（ｂ）に示すように、長方形状の板状をしている。支持部材２は、図２に示すように、重力方向に立ち上がり、フィルム１を支持する。
【００１１】
フィルム１の下部には、図１（ａ）に示すように、複数の第１の開放スロット部１ａが形成される。第１の開放スロット部１ａは下方に開放している。第１の開放スロット部１ａは等間隔に配置することが好ましい。
【００１２】
支持部材２は、図１（ｂ）に示すように、上方に開放し、第１の開放スロット部１ａと嵌合する複数の第２の開放スロット部２ａを有する。第１の開放スロット部１ａと第２の開放スロット部２ａの数は等しいことが好ましい。複数の第２の開放スロット部２ａを配置する間隔は、複数の第１の開放スロット部１ａを配置する間隔よりも広いことが好ましい。
【００１３】
フィルム１は、図２に示すように、複数の第１の開放スロット部１ａの間の部分が、支持部材２の一方の側と他方の側に交互に配置される。これにより、フィルム１が波状に撓んで自立することが可能となる。
【００１４】
以上に説明した実施形態によれば、携行性に優れるとともに、軽量かつ低価格なパーテーションを提供することができる。特に、フィルム１を丸めて梱包、保管することができるため、遮蔽部が硬質素材から形成されるパーテーションと比較して、梱包、配送が容易となり、保管スペースも小さくすることができる。
【００１５】
パーテーション１０を対面での会話の際に使用可能なものとするため、フィルム１は、透明の素材から形成されることが好ましいが、半透明又は不透明の素材から形成しても良い。フィルム１の素材としては、ＰＥＴ（ポリエチレンテレフタラート）、ＰＰ（ポリプロピレン）、ＰＶＣ（ポリ塩化ビニル）などの樹脂を用いることができる。
【００１６】
パーテーション１０は、一対の脚部３、４を有することが好ましい。一対の脚部３、４は、図１（ｃ）、図１（ｄ）に示すように、板状をして、上方に開放する第３の開放スロット部３ａ、４ａをそれぞれ有する。
【００１７】
支持部材２は、両端部に、下方に開放し、第３の開放スロット部３ａ、４ａに嵌合する第４の開放スロット部２ｂをそれぞれ有する。これにより、簡単に分解することができる板状の部材によってフィルム１を支持することができ、更に、携行性を高め、軽量かつ低価格なパーテーション１０とすることができる。
【００１８】
なお、本願考案は、上記実施形態に限定されるものではなく、種々の変更、改良が可能である。例えば、開放スロット部の数や配置は上記実施形態に限定されるものではなく、パーテーション１０の大きさや用途に応じて変更することができる。また、支持部材２と脚部３とを一体に形成することもできる。
【符号の説明】
【００１９】
１  フィルム
１ａ  第１の開放スロット部
２  支持部材
２ａ  第２の開放スロット部
３、４  脚部
３ａ、４ａ  第３の開放スロット部
１０  パーテーション
【図１】
0003230114.tif 000003
【図２】
0003230114.tif 000004